(57)【要約】【課題】頭頂部を含む頭部全体を保護する。【解決手段】前額部から後頭部にかけて頭部に周回させる帯状の環状部１１と、両端を環状部１１に連結し、前額部から頭頂部を経て後頭部に至る帯状の連結部１２とを設ける。【選択図】図１
0003132078.tif 000002
【実用新案登録請求の範囲】
【請求項１】
頭部に嵌め、前額部から後頭部にかけて周回させる帯状の環状部と、両端を前記環状部に連結し、前額部から頭頂部を経て後頭部に至る帯状の連結部とを備えてなり、前記環状部、連結部は、クッション性を有する同一の繊維材料により形成することを特徴とする頭部用の保護キャップ。
【請求項２】
前記環状部、連結部は、内向きのパイルを有する筒編み地により形成することを特徴とする請求項１記載の頭部用の保護キャップ。
【請求項３】
前記環状部、連結部は、オフセット印刷用モルトンを裏返して使用することを特徴とする請求項１または請求項２記載の頭部用の保護キャップ。
【請求項４】
前記環状部には、左右の止め紐を付設することを特徴とする請求項１ないし請求項３のいずれか記載の頭部用の保護キャップ。
【考案の詳細な説明】
【技術分野】
【０００１】
この考案は、不測の転倒事故などの際に、頭部を有効に保護することができる頭部用の保護キャップに関する。
【背景技術】
【０００２】
パーキンソン病などの神経性疾患を有する患者は、突然身体の平衡感覚を失って転倒したり、自ら頭部を建物などに打ち付けたりして、頭部に大きな損傷を負うことがある。また、脚力が低下している高齢者なども、不測の転倒時に頭部を傷付けることが少なくない。そこで、このような事故から頭部を保護するために、保護用のキャップが提案されている（たとえば特許文献１、２）。
【０００３】
従来のキャップは、頭部に嵌める帯状のクッション性の環状部材を主要部材とし、前額部や側頭部、後頭部の保護を強化するために環状部材の幅を部分的に適切に変化させるとともに、環状部材の位置ずれ防止用の付属バンドや顎紐を付設し、またはファッション性を向上させるために裏地や表地を付設して構成されている。なお、環状部材は、スポンジ材などを芯材として必要なクッション性を実現するのが普通である。
【特許文献１】実公昭５５−３６５００号公報
【特許文献２】実用新案登録第３０９２０４６号公報
【考案の開示】
【考案が解決しようとする課題】
【０００４】
かかる従来技術によるときは、環状部材は、スポンジ材などを芯材として使用するから、環状部材自体を所定の形状に保持するために、適当なカバーや布地などで芯材を被覆することが必要であり、生産性がよくない上、スポンジ材の通気性が悪く、良好な装着感が得られないという問題があった。また、頭部の保護は、環状部材だけに依存するから、頭頂部の保護が不十分であるという問題もあった。
【０００５】
そこで、この考案の目的は、かかる従来技術の問題に鑑み、クッション性を有する繊維材料により環状部、連結部を形成することにより、生産性がよく、快適な装着感が得られる上、頭頂部を含む頭部全体を有効に保護することができる頭部用の保護キャップを提供することにある。
【課題を解決するための手段】
【０００６】
かかる目的を達成するためのこの考案の構成は、頭部に嵌め、前額部から後頭部にかけて周回させる帯状の環状部と、両端を環状部に連結し、前額部から頭頂部を経て後頭部に至る帯状の連結部とを備えてなり、環状部、連結部は、クッション性を有する同一の繊維材料により形成することをその要旨とする。
【０００７】
なお、環状部、連結部は、内向きのパイルを有する筒編み地により形成することができ、オフセット印刷用モルトンを裏返して使用することができる。
【０００８】
また、環状部には、左右の止め紐を付設してもよい。
【考案の効果】
【０００９】
かかる考案の構成によるときは、帯状の環状部は、頭部に嵌めて周回させることにより、前額部、側頭部、後頭部を保護することができ、帯状の連結部は、環状部のずれ落ちを防止するとともに、頭頂部を保護することができる。すなわち、クッション性を有する環状部、連結部は、頭頂部を含む頭部全体を有効に保護可能である。一方、環状部、連結部は、同一の繊維材料から形成するから、単に裁断して縫着するだけでよく、製作が容易であり、生産性が高い上、通気性がよく、良好な装着感を得ることができる。繊維材料としては、パイルを有する織り地、編み地、不織布のいずれでもよく、複数枚を帯状に折り畳んで使用してもよい。また、繊維材料は、綿が好適であるが、合成繊維や、両者の混紡品または混織品であってもよい。
【００１０】
環状部、連結部は、内向きのパイルを有する筒編み地を使用することにより、パイルを介して良好なクッション性が得られる上、幅方向に伸縮しても長さ方向に伸縮し難く、長期間に亘って良好な装着感を維持することができる。なお、このような筒編み地は、オフセット印刷の水ローラ用のモルトンを裏返してパイルを内側にして使用することができ、使用済みのモルトンの廃品を有効活用することも可能である。
【００１１】
環状部に付設する左右の止め紐は、顎の下を通して連結し、全体をずれ止めすることができる。
【考案を実施するための最良の形態】
【００１２】
以下、図面を以って考案の実施の形態を説明する。
【００１３】
頭部用の保護キャップは、帯状の環状部１１に対し、帯状の連結部１２の両端を上向きに連結にしてなる（図１）。
【００１４】
環状部１１は、内向きのパイル１１ａ、１１ａ…を有する筒編み地１１ｂにより形成されている（図２）。環状部１１は、パイル１１ａ、１１ａ…を介し、全体として良好なクッション性を有する。なお、このような繊維材料は、新品または使用済みのオフセット印刷用モルトンを裏返して利用することができる。
【００１５】
連結部１２は、環状部１１を横断するようにして、環状部１１に両端が上向きに縫着されている（図１）。なお、連結部１２は、環状部１１と同一のクッション性の繊維材料から形成されている。連結部１２の両端は、それぞれ環状部１１の外面側において、環状部１１の全幅を覆うようにして、下端の細幅の補強布１２ａとともに環状部１１に縫い付けられている。ただし、環状部１１をリング状に接続する接続部分は、連結部１２の一方の端部の内側に位置しており、外部から見えないようになっている。
【００１６】
環状部１１には、連結部１２と直交する方向に、左右の止め紐１３、１３が付設されている（図１、図３）。各止め紐１３の一端は、環状部１１の内側において、環状部１１の下縁部分に対して下向きに縫い付けられている。
【００１７】
頭部用の保護キャップは、環状部１１を頭部Ｈに嵌め、止め紐１３、１３を顎の下で結ぶようにして頭部Ｈに装着する（図４）。このとき、環状部１１は、前額部から、両側頭部、後頭部にかけて頭部Ｈを周回し、これらの部位を適切に保護することができる。また、連結部１２は、前額部から頭頂部を経て後頭部に至り、これらの部位を保護するとともに、環状部１１がずり落ちることを防止する。ただし、図４（Ａ）、（Ｂ）は、それぞれ斜め左方向、斜め上方向から見た使用状態斜視図である。
【００１８】
以上の説明において、保護キャップは、環状部１１、連結部１２を含む全体の外側、内側の一方または双方に対して図示しない布地を着脱可能に取り付けることにより、見掛けの体裁をよくし、汚れたときの洗濯に供することができる。また、止め紐１３、１３は、顎の下で結ぶに代えて、適当な面ファスナなどを介して連結してもよく、細く見え難くして外観を向上させてもよい。また、止め紐１３、１３は、ペンダント、ネクタイまたはネックレスなどのような外観に仕上げることも可能である。
【図面の簡単な説明】
【００１９】
【図１】全体斜視図
【図２】図１のＡ−Ａ線矢視相当９０°回転拡大断面図
【図３】図１のＢ−Ｂ線矢視相当要部拡大図
【図４】使用状態斜視説明図
【符号の説明】
【００２０】
Ｈ…頭部
１１…環状部
１１ａ…パイル
１１ｂ…筒編み地
１２…連結部
１３…止め紐
実用新案登録出願人      甚  田  ノ ブ 子
代理人  弁理士            松  田  忠  秋
【図１】
0003132078.tif 000003
【図２】
0003132078.tif 000004
【図３】
0003132078.tif 000005
【図４】
0003132078.tif 000006